(57)【要約】【課題】検査員に過度な負担をかけることなく、少人数で、ミスなく行うことができ、しかも、様々な記録媒体にも適用させることができ、汎用性に富む記録媒体の検査方法を提供する。【解決手段】記録媒体の異常を検出するための記録媒体の検査装置において、予め一定周波数の音声信号が記録された被検査対象である第１記録媒体１２Ａ〜第４記録媒体１２Ｄと、第１記録媒体１２Ａ〜第４記録媒体１２Ｄから信号を読み出して出力する適正な第１ドライブ装置１４Ａ〜第４ドライブ装置１４Ｄと、第１ドライブ装置１４Ａ〜第４ドライブ装置１４Ｄからの出力信号から音声信号を検波する検波器１６と、検波器１６から出力される信号の属性が、前記一定周波数から逸脱したことを示す場合に、異常と判定する判定手段３０とを有する。【選択図】図１
2008016128.tif 000002
【特許請求の範囲】
【請求項１】
記録媒体の異常を検出するための記録媒体の検査方法において、
前記記録媒体に予め一定周波数の音声信号を記録しておく第１ステップと、
前記記録媒体から信号を読み出す第２ステップと、
読み出した前記信号から前記音声信号を検波する第３ステップと、
検波した結果が前記一定周波数から逸脱したことを示す場合に、異常と判定する第４ステップとを有することを特徴とする記録媒体の検査方法。
【請求項２】
請求項１記載の記録媒体の検査方法において、
前記第４ステップは、前記検波した結果をモニタに表示しながら行うことを特徴とする記録媒体の検査方法。
【請求項３】
請求項２記載の記録媒体の検査方法において、
前記記録媒体に前記音声信号と共に映像信号が記録され、
前記第４ステップは、前記検波した結果を前記モニタに表示すると共に、前記映像信号による画像を前記モニタに表示しながら行うことを特徴とする記録媒体の検査方法。
【請求項４】
請求項３記載の記録媒体の検査方法において、
前記第４ステップは、前記モニタ上に表示されている画像のうち、前記検波した結果が前記一定周波数から逸脱した時点の画像をメモリに保持することを特徴とする記録媒体の検査方法。
【請求項５】
請求項１〜４のいずれか１項に記載の記録媒体の検査方法において、
前記第３ステップは、前記音声信号の周波数に応じた電圧信号に変換し、
前記第４ステップは、前記一定周波数に応じた基準電圧信号と前記電圧信号とを比較し、前記電圧信号が前記基準電圧信号から所定レベル以上逸脱したときに、異常と判定することを特徴とする記録媒体の検査方法。
【請求項６】
請求項５記載の記録媒体の検査方法において、
前記所定レベルは、基準電圧信号の−３ｄＢ〜−２０ｄＢのうちのいずれかであることを特徴とする記録媒体の検査方法。
【請求項７】
請求項１〜５のいずれか１項に記載の記録媒体の検査方法において、
前記一定周波数は、１００Ｈｚ〜１５ｋＨｚのうちのいずれかであることを特徴とする記録媒体の検査方法。
【請求項８】
請求項１〜７のいずれか１項に記載の記録媒体の検査方法において、
前記記録媒体は、基板上にレーザ光照射による情報の記録が可能な記録層を有する光情報記録媒体であることを特徴とする記録媒体の検査方法。
【請求項９】
記録媒体の異常を検出するための記録媒体の検査装置において、
予め一定周波数の音声信号が記録された記録媒体がセットされ、該記録媒体から信号を読み出して出力する記録媒体用ドライブ装置と、
前記記録媒体用ドライブ装置からの出力信号から前記音声信号を検波する検波器と、
前記検波器から出力される信号の属性が、前記一定周波数から逸脱したことを示す場合に、異常と判定する判定手段とを有することを特徴とする記録媒体の検査装置。
【請求項１０】
記録媒体に記録された信号を読み出す記録媒体用ドライブ装置の検査方法において、
予め一定周波数の音声信号が記録された適正な記録媒体を準備する第１ステップと、
前記記録媒体用ドライブ装置を使って前記適正な記録媒体から信号を読み出す第２ステップと、
読み出した前記信号から前記音声信号を検波する第３ステップと、
検波した結果が前記一定周波数から逸脱したことを示す場合に、異常と判定する第４ステップとを有することを特徴とする記録媒体用ドライブ装置の検査方法。
【請求項１１】
記録媒体に記録された信号を読み出す記録媒体用ドライブ装置の検査装置において、
予め一定周波数の音声信号が記録された適正な記録媒体がセットされ、且つ、被検査対象である記録媒体用ドライブ装置と、
前記記録媒体用ドライブ装置からの出力信号から前記音声信号を検波する検波器と、
前記検波器から出力される信号の属性が、前記一定周波数から逸脱したことを示す場合に、異常と判定する判定手段とを有することを特徴とする記録媒体用ドライブ装置の検査装置。
【発明の詳細な説明】
【技術分野】
【０００１】
本発明は、記録媒体の異常を検出するための記録媒体の検査方法及び記録媒体の検査装置、並びに記録媒体に記録された信号を読み出す記録媒体用ドライブ装置の検査方法及び記録媒体用ドライブ装置の検査装置に関する。
【背景技術】
【０００２】
記録媒体として、レーザ光を用いた光情報記録媒体（ＤＶＤやＣＤ）、光磁気ディスク、ハードディスク、フレキシブルディスク、半導体メモリ、磁気テープ等が存在する。
【０００３】
これら記録媒体から読み出された信号は、映像信号であれば、モニタに供給されて該モニタの表示画面から前記映像信号による画像が表示され、音声信号であれば、スピーカに供給されて該スピーカから前記音声信号に応じた音声が出力されることになる。記録媒体から読み出された信号がコンピュータプログラムであれば、コンピュータシステムのハードディスクやメインメモリに記録されてＣＰＵによって起動動作されることになる。
【０００４】
このような使用形態において、記録媒体に正しく信号が記録されていない場合や、記録媒体には正しく信号が記録されているが、読み出し処理が適正に行われない場合、モニタに表示される画像が乱れたり、スピーカから出力される音声が途切れたりして、不良が発生することとなる。
【０００５】
そこで、出荷前に記録媒体の再生データの異常を検出する検査を行うこととなるが、検査員の聴覚や視覚によって検査を行う場合、検査員が映像を見続ける、もしくは音声を聞き続けなければならず、検査員への負担が大きくなるという問題がある。
【０００６】
一方、従来では、光ディスク用の再生検査方法ではあるが、特許文献１が提案されている。
【０００７】
この従来の検査方法は、情報記録媒体から再生信号を読み出し、再生信号に復調処理及び誤り訂正処理を施してデコード信号を生成してデータ記憶部に格納し、データ記憶部のデコード信号を取り出して音声信号を再生するときの異常を検出する再生検査方法である。
【０００８】
そして、誤り訂正処理をしたデコード信号をデータ記憶部に格納した書込回数を計測するとともに、誤り訂正できなかったデコード信号の数を計測し、データ記憶部からデコード信号を取り出した読出回数を計測し、書込回数及び読出回数から算出されたデータ記憶部に格納されたデコード信号の残量を示すデータ残量と、訂正できなかったデコード信号の数とを表示するようにしている。
【０００９】
この方法によれば、検査員は、訂正できなかったデコード信号の数を確認すればよいため、検査に係る負担が軽くなるという効果がある。
【００１０】
【特許文献１】特開２００２−２２２５７０号公報
【発明の開示】
【発明が解決しようとする課題】
【００１１】
しかしながら、上述した特許文献１に係る方法は、情報記録媒体から再生信号を読み出し、再生信号に変調処理及び誤り訂正処理を施してデコード信号を生成する際に、誤り訂正できなかった量を計測して異常を検出するようにしている。
【００１２】
そのため、再生信号に変調処理及び誤り訂正処理を施すための専用の再生機が必要であり、汎用性がないという問題がある。例えば光ディスクに対して情報の記録再生を行うドライブ装置は、様々なメーカで製造されており、従って、ドライブ装置を変更する場合、該ドライブ装置のメーカに対して、誤り訂正できなかった量を計測するための信号処理を別途設けもらう必要があり、しかも、計測データの出力形態についても開示してもらう必要がある。このようなことから、特許文献１に係る方法は、その実現が困難であるという問題がある。
【００１３】
本発明はこのような課題を考慮してなされたものであり、記録媒体の異常を検出するための記録媒体の検査において、検査員に過度な負担をかけることなく、少人数で、ミスなく行うことができ、しかも、様々な記録媒体にも適用させることができ、汎用性に富む記録媒体の検査方法及び記録媒体の検査装置を提供することを目的とする。
【００１４】
また、本発明の他の目的は、記録媒体に記録された信号を読み出す記録媒体用ドライブ装置の検査において、検査員に過度な負担をかけることなく、少人数で、ミスなく行うことができ、しかも、様々なドライブ装置にも簡単に適用させることができ、汎用性に富む記録媒体用ドライブ装置の検査方法及び記録媒体用ドライブ装置の検査装置を提供することを目的とする。
【課題を解決するための手段】
【００１５】
第１の本発明に係る記録媒体の検査方法は、記録媒体の異常を検出するための記録媒体の検査方法において、前記記録媒体に予め一定周波数の音声信号を記録しておく第１ステップと、前記記録媒体から信号を読み出す第２ステップと、読み出した前記信号から前記音声信号を検波する第３ステップと、検波した結果が前記一定周波数から逸脱したことを示す場合に、異常と判定する第４ステップとを有することを特徴とする。
【００１６】
これにより、記録媒体の異常を検出するための記録媒体の検査において、検査員に過度な負担をかけることなく、少人数で、ミスなく行うことができ、しかも、様々な記録媒体の検査にも適用させることができ、汎用性に富む。
【００１７】
そして、第１の本発明において、前記第４ステップは、前記検波した結果をモニタに表示しながら行うようにしてもよい。この場合、前記記録媒体に前記音声信号と共に映像信号が記録され、前記第４ステップは、前記検波した結果を前記モニタに表示すると共に、前記映像信号による画像を前記モニタに表示しながら行うようにしてもよい。
【００１８】
また、前記第４ステップは、前記モニタ上に表示されている画像のうち、前記検波した結果が前記一定周波数から逸脱した時点の画像をメモリに保持するようにしてもよい。
【００１９】
また、第１の本発明において、前記第３ステップは、前記音声信号の周波数に応じた電圧信号に変換し、前記第４ステップは、前記一定周波数に応じた基準電圧信号と前記電圧信号とを比較し、前記電圧信号が前記基準電圧信号から所定レベル以上逸脱したときに、異常と判定するようにしてもよい。
【００２０】
この場合、前記所定レベルは、基準電圧信号の−３ｄＢ〜−２０ｄＢのうちのいずれかであってもよい。例えば−３ｄＢであれば、前記電圧信号のレベルが基準電圧信号のレベルの約７０．８％よりも下回ったときに、異常と判定されることになる。
【００２１】
また、第１の本発明において、前記一定周波数は、１００Ｈｚ〜１５ｋＨｚのうちのいずれかであることが好ましく、４００Ｈｚ〜１０ｋＨｚのうちのいずれかであることがさらに好ましい。特に好ましくは、１ｋＨｚ±２％の間の周波数を用いることである。
【００２２】
また、第１の本発明において、前記記録媒体は、基板上にレーザ光照射による情報の記録が可能な記録層を有する光情報記録媒体であってもよい。
【００２３】
次に、第２の本発明に係る記録媒体の検査装置は、記録媒体の異常を検出するための記録媒体の検査装置において、予め一定周波数の音声信号が記録された記録媒体がセットされ、該記録媒体から信号を読み出して出力する記録媒体用ドライブ装置と、前記記録媒体用ドライブ装置からの出力信号から前記音声信号を検波する検波器と、前記検波器から出力される信号の属性が、前記一定周波数から逸脱したことを示す場合に、異常と判定する判定手段とを有することを特徴とする。
【００２４】
これにより、記録媒体の異常を検出するための記録媒体の検査において、検査員に過度な負担をかけることなく、少人数で、ミスなく行うことができ、しかも、様々な記録媒体の検査にも適用させることができ、汎用性に富む。
【００２５】
次に、第３の本発明に係る記録媒体用ドライブ装置の検査方法は、記録媒体に記録された信号を読み出す記録媒体用ドライブ装置の検査方法において、予め一定周波数の音声信号が記録された適正な記録媒体を準備する第１ステップと、前記記録媒体用ドライブ装置を使って前記適正な記録媒体から信号を読み出す第２ステップと、読み出した前記信号から前記音声信号を検波する第３ステップと、検波した結果が前記一定周波数から逸脱したことを示す場合に、異常と判定する第４ステップとを有することを特徴とする。
【００２６】
次に、第４の本発明に係る記録媒体用ドライブ装置の検査装置は、記録媒体に記録された信号を読み出す記録媒体用ドライブ装置の検査装置において、予め一定周波数の音声信号が記録された適正な記録媒体がセットされ、且つ、被検査対象である記録媒体用ドライブ装置と、前記記録媒体用ドライブ装置からの出力信号から前記音声信号を検波する検波器と、前記検波器から出力される信号の属性が、前記一定周波数から逸脱したことを示す場合に、異常と判定する判定手段とを有することを特徴とする。
【００２７】
上述した第３及び第４の本発明においては、記録媒体に記録された信号を読み出す記録媒体用ドライブ装置の検査において、検査員に過度な負担をかけることなく、少人数で、ミスなく行うことができ、しかも、様々なドライブ装置の検査にも簡単に適用させることができ、汎用性に富む。
【発明の効果】
【００２８】
以上説明したように、本発明に係る記録媒体の検査方法及び記録媒体の検査装置によれば、記録媒体の異常を検出するための記録媒体の検査において、検査員に過度な負担をかけることなく、少人数で、ミスなく行うことができ、しかも、様々な記録媒体の検査にも適用させることができ、汎用性に富むという効果を奏する。
【００２９】
本発明に係る記録媒体用ドライブ装置の検査方法及び記録媒体用ドライブ装置の検査装置によれば、記録媒体に記録された信号を読み出す記録媒体用ドライブ装置の検査において、検査員に過度な負担をかけることなく、少人数で、ミスなく行うことができ、しかも、様々なドライブ装置の検査にも簡単に適用させることができ、汎用性に富むという効果を奏する。
【発明を実施するための最良の形態】
【００３０】
以下、本発明に係る記録媒体の検査方法、記録媒体の検査装置、記録媒体用ドライブ装置の検査方法及び記録媒体用ドライブ装置の検査装置の実施の形態例を図１〜図８を参照しながら説明する。
【００３１】
先ず、記録媒体の異常を検出するための記録媒体の検査方法に適用した第１の本実施の形態に係る検査システム（以下、第１検査システム１０Ａと記す）について図１〜図４を参照しながら説明する。
【００３２】
この第１検査システム１０Ａは、図１に示すように、被検査対象である第１記録媒体１２Ａ〜第４記録媒体１２Ｄと、適正な信号処理を行う４つのドライブ装置（第１ドライブ装置１４Ａ〜第４ドライブ装置１４Ｄ）と、検波器１６と、Ａ／Ｄ変換器１８と、フレームグラバ２０と、パーソナルコンピュータ２２と、リモコン２４とを有する。
【００３３】
ここで、第１記録媒体１２Ａ〜第４記録媒体１２Ｄとしては、例えば記録媒体の製造工程で製造された多数の記録媒体からランダムに抽出された記録媒体を用いることができる。
【００３４】
第１ドライブ装置１４Ａ〜第４ドライブ装置１４Ｄは、予め一定周波数の音声信号が記録された第１記録媒体１２Ａ〜第４記録媒体１２Ｄがそれぞれセットされ、第１記録媒体１２Ａ〜第４記録媒体１２Ｄから信号をそれぞれ読み出して出力する。第１ドライブ装置１４Ａ〜第４ドライブ装置１４Ｄは、信号が適正に記録された記録媒体から信号を読み出す際に、適正に信号処理されて読み出すことができるようになっている。第１記録媒体１２Ａ〜第４記録媒体１２Ｄは、レーザ光を用いた光情報記録媒体（ＤＶＤやＣＤ）、光磁気ディスク、ハードディスク、フレキシブルディスク、半導体メモリ、磁気テープ等である。従って、第１ドライブ装置１４Ａ〜第４ドライブ装置１４Ｄは、第１記録媒体１２Ａ〜第４記録媒体１２Ｄに対応した各種機構及び信号処理回路を有する。この例では、上述した各種記録媒体のうちでも、検査に時間がかかるとされる光情報記録媒体の検査において最適である。
【００３５】
また、第１記録媒体１２Ａ〜第４記録媒体１２Ｄへの音声信号の記録形態は、例えば第１記録媒体１２Ａ〜第４記録媒体１２ＤがＤＶＤ等の光情報記録媒体であれば、一定周波数の音声信号がピット情報として記録されることなる。つまり、一定周波数の音声信号が第１記録媒体１２Ａ〜第４記録媒体１２Ｄの種類に応じた記録形態で記録されることになる。
【００３６】
第１記録媒体１２Ａ〜第４記録媒体１２Ｄに記録される音声信号の一定周波数は、１００Ｈｚ〜１５ｋＨｚのうちのいずれかであることが好ましく、４００Ｈｚ〜１０ｋＨｚのうちのいずれかであることがさらに好ましい。特に好ましくは、１ｋＨｚ±２％の間の周波数である。
【００３７】
検波器１６は、４チャネルの入出力端子を有し、第１ドライブ装置１４Ａ〜第４ドライブ装置１４Ｄからの出力信号がそれぞれ入力され、該入力された出力信号からそれぞれ音声信号を検波する。
【００３８】
ここで、検波としては、音声信号の周波数に応じた電圧レベルを有する信号（電圧信号）に変換することが挙げられる。電圧信号に変換することで、後段に接続されるＡ／Ｄ変換器１８として安価なＭＯＳトランジスタを主体にした回路構成を採用することができるからである。もちろん、音声信号の周波数に応じた電流レベルを有する信号（電流信号）に変換するようにしてもよいが、後段に接続されるＡ／Ｄ変換器の回路構成が複雑になるおそれがある。
【００３９】
検波器１６としては、例えばＲＭＳ−ＤＣ変換器を使用することができる。この場合、ＲＭＳ−ＤＣ変換器の好ましい仕様として、周波数帯域は２０Ｈｚ〜２０ｋＨｚの音声周波数帯域に対応したものであって、入力レンジは各チャネルで可変であることが好ましい。第１ドライブ装置〜第４ドライブ装置の出力レンジにばらつきがある可能性があるからである。また、応答速度は１０ｍｓｅｃ以下であることが好ましい。
【００４０】
Ａ／Ｄ変換器１８は、４チャネルの入力端子を有し、検波器１６からの出力信号をそれぞれＡ／Ｄ変換する。また、このＡ／Ｄ変換器１８は、第１ＵＳＢケーブル２６を介してパーソナルコンピュータ２２と接続される。
【００４１】
フレームグラバ２０は、４チャネルの入力端子を通じて第１ドライブ装置１４Ａ〜第４ドライブ装置１４Ｄからの映像信号がそれぞれ入力される。また、フレームグラバ２０はＰＣＩバス２８を介してパーソナルコンピュータ２２と接続される。
【００４２】
パーソナルコンピュータ２２は、様々なコンピュータプログラムが起動、動作するようになっているが、この第１検査システム１０Ａでは、判定手段３０と、推移表示手段３２とがソフトウエアとして組み込まれている。
【００４３】
判定手段３０は、検波器１６から出力される信号の属性が、一定周波数から逸脱したことを示す場合に、異常と判定する。具体的には、検波器１６からの出力信号（電圧信号）と、一定周波数に応じた電圧レベル（基準電圧レベル）を有する信号（基準電圧信号）とを比較し、電圧信号の電圧レベルが基準電圧信号の基準電圧レベルから所定レベル以上逸脱したときに、異常と判定する。
【００４４】
図１の例では、検波器１６の出力がＡ／Ｄ変換器１８にてデジタルデータに変換されているため、判定手段３０は、検波器１６からの出力信号（電圧信号）のデジタルデータによる電圧レベル値と、一定周波数に応じた電圧レベル値（基準電圧レベル値）とを比較し、電圧レベル値が基準電圧レベル値から所定レベル以上逸脱したときに、異常と判定する。なお、説明を簡単にするために、以下の説明では、電圧レベル値、基準電圧レベル値を、それぞれ電圧レベル、基準電圧レベルと記す。
【００４５】
ここで、所定レベルは、異常判定を決めるためのしきい値レベルであって、基準電圧レベルの−３ｄＢ〜−２０ｄＢのうちのいずれかである。具体的には、例えば−３ｄＢ、−６ｄＢ、−１０ｄＢ、−２０ｄＢが挙げられる。例えば−３ｄＢであれば、電圧信号の電圧レベルが基準電圧信号の基準電圧レベル（例えば７Ｖ）の１／（√２）よりも下回ったときに、異常と判定されることになる。基準電圧レベルが例えば７Ｖであれば、電圧レベルが７×｛１／（√２）｝＝約４．９６Ｖよりも下回ったときに、異常と判定されることになる。
【００４６】
同様に、−６ｄＢであれば、電圧レベルが基準電圧レベルの１／２よりも下回ったときに異常と判定され、−１０ｄＢであれば、電圧レベルが基準電圧レベルの１／３よりも下回ったときに異常と判定され、−２０ｄＢであれば、電圧レベルが基準電圧レベルの１／１０よりも下回ったときに異常と判定される。
【００４７】
一方、推移表示手段３２は、パーソナルコンピュータ２２におけるモニタ３４の表示画面に、図２に示すように、推移表示画面３６を表示する。
【００４８】
この推移表示画面３６は、第１ドライブ装置１４Ａ〜第４ドライブ装置１４Ｄに対応して４つの区画（第１区画３８Ａ〜第４区画３８Ｄ）に分かれたマルチ画面表示の形態を採用している。
【００４９】
第１区画３８Ａ〜第４区画３８Ｄは、それぞれ２つの領域（第１領域４０ａ及び第２領域４０ｂ）に分かれ、第１領域４０ａにはフレームグラバ２０を通じて入力された映像信号による画像が表示され、第２領域４０ｂには検波器１６からの出力信号の電圧レベル（Ａ／Ｄ変換後の電圧レベル）の変化が表示されるようになっている。
【００５０】
第２領域４０ｂの表示例は、図３に示すように、横軸に時間軸、縦軸に電圧レベルとしたグラフの形態となっており、このグラフには、検波器１６からの出力信号の電圧レベルの時間経過に伴う変化が電圧波形として表示されるようになっている。また、このグラフには、基準電圧レベルを示すＶｂの表示、異常として判定される電圧レベル（しきい値レベル）Ｖｔｈの表示がされ、さらに、電圧レベルがしきい値レベルＶｔｈを下回った時間（異常判定時点の時間情報）も表示されるようになっており、検査員が異常がどの時点で発生したかを容易に認識できるようになっている。図３の例では、例えば０：０５：００（５分を示す）、０：２３：００（２３分を示す）、０：３２：４０（３２分４０秒を示す）、０：３３：２０（３３分２０秒を示す）、０：３４：００（３４分を示す）がそれぞれ枠が付されて強調表示された例を示している。
【００５１】
さらに、この推移表示手段３２は、第１領域４０ａに表示されている画像のうち、前記検波した結果が前記一定周波数から逸脱した時点の画像を、パーソナルコンピュータ２２に内蔵された例えばハードディスク４２に、逸脱した時点の時間情報と共に記録するようにしている。
【００５２】
従って、第１記録媒体１２Ａ〜第４記録媒体１２Ｄに対する判定が終了した後、モニタ３４に表示されている推移表示画面３６のうち、例えば第１区画３８Ａの第２領域４０ｂに表示されている異常として判定された時点の時間を図示しない例えば座標入力装置で指定する（例えばマウスを使ってクリックする）ことにより、その時点の画像を第１領域４０ａに表示することができるようになり、異常の状態を画像の面（画像の乱れ具合）からも認識することができる。この場合、単に画像が乱れたという瞬時の認識ではなく、異常時点の画像を静止画として表示することができるため、異常状態の検査を画像の面からも高精度に行うことができる。
【００５３】
なお、リモコン２４は、第１ドライブ装置１４Ａ〜第４ドライブ装置１４Ｄに対して再生スタート、再生ストップをパーソナルコンピュータ２２から制御するための装置であり、４つの赤外線ＬＥＤと図示しない受光部が設置され、パーソナルコンピュータ２２と第２ＵＳＢケーブル４４を介して接続されている。
【００５４】
すなわち、リモコン２４とパーソナルコンピュータ２２を第２ＵＳＢケーブル４４を介して接続することにより、第１ドライブ装置１４Ａ〜第４ドライブ装置１４Ｄに付属されているそれぞれの赤外線リモコン（図示せず）の制御コードをパーソナルコンピュータ２２で読み込んだり、パーソナルコンピュータ２２に記憶されている制御コードをリモコン２４に内蔵されたメモリ（図示せず）にダウンロードすることができるようになっている。これにより、このリモコン２４を使用することで、上述の第１ドライブ装置１４Ａ〜第４ドライブ装置１４Ｄ専用の各赤外線リモコンの代わりに第１ドライブ装置１４Ａ〜第４ドライブ装置１４Ｄを制御することができる。
【００５５】
このリモコン２４は、再生スタートと再生ストップ用のメモリを各４チャネル分持っており、第１ドライブ装置１４Ａ〜第４ドライブ装置１４Ｄに対して、個別又は同時に再生スタート、再生ストップをかけることが可能となっている。
【００５６】
次に、第１検査システム１０Ａの動作について図４のフローチャートも参照しながら説明する。
【００５７】
先ず、図４のステップＳ１において、第１記録媒体１２Ａ〜第４記録媒体１２Ｄに予め一定周波数の音声信号を記録しておく。
【００５８】
その後、ステップＳ２において、第１記録媒体１２Ａ〜第４記録媒体１２Ｄをそれぞれ第１ドライブ装置１４Ａ〜第４ドライブ装置１４Ｄにセットし、第１記録媒体１２Ａ〜第４記録媒体１２Ｄから信号を読み出す。第１記録媒体１２Ａ〜第４記録媒体１２Ｄから読み出された信号は、検波器１６の対応するチャネルと、フレームグラバ２０の対応するチャネルにそれぞれ供給される。
【００５９】
その後、ステップＳ３において、検波器１６は、第１ドライブ装置１４Ａ〜第４ドライブ装置１４Ｄから出力される信号からそれぞれ音声信号を検波する。すなわち、各チャネルにおいて、音声信号の周波数に応じた電圧レベルを有する信号（電圧信号）に変換する。各チャネルから出力される電圧信号は、後段のＡ／Ｄ変換器１８に供給され、それぞれデジタル信号に変換されてパーソナルコンピュータ２２に送信される。
【００６０】
これと並行して、フレームグラバ２０は、第１ドライブ装置１４Ａ〜第４ドライブ装置１４Ｄから出力される信号からそれぞれ映像信号を取り出して、ＰＣＩバスを介してパーソナルコンピュータ２２に送信する。
【００６１】
そして、ステップＳ４において、パーソナルコンピュータ２２における推移表示手段３２は、モニタ３４に、第１ドライブ装置１４Ａ〜第４ドライブ装置１４Ｄに対応して４つの区画（第１区画３８Ａ〜第４区画３８Ｄ）に分かれたマルチ画面（推移表示画面３６）を表示し、第１区画３８Ａ〜第４区画３８Ｄにおける各第１領域４０ａにそれぞれ現時点の映像信号による画像を表示し、各第２領域４０ｂにそれぞれ対応する電圧信号（電圧レベル）の推移波形を表示する。
【００６２】
ステップＳ５において、パーソナルコンピュータ２２における判定手段３０は、検波器１６からＡ／Ｄ変換器１８を介して送信されてくる４チャネルの電圧信号（検波した結果）の電圧レベルと、基準電圧レベルとをそれぞれ比較し、電圧レベルが基準電圧レベルから所定レベル以上逸脱したチャネルについて、異常と判定し、ステップＳ６に進む。
【００６３】
ステップＳ６において、推移表示手段３２は、異常と判定されたチャネルに対応した区画の第２領域４０ｂに異常判定時点の時間情報を表示すると共に、該時間情報とチャネル情報（チャネル番号等）をハードディスク４２に記録し、さらに、異常と判定されたチャネルに対応した映像信号のうち、異常判定時点の映像信号による画像をハードディスク４２に記録する。これによって、異常と判定されたチャネルと、異常判定された時間情報と、異常判定時点の画像が、ハードディスク４２においてデータベースとして管理できることになる。
【００６４】
ステップＳ５において異常と判定されなかった場合、あるいはステップＳ６での処理が終了した段階で、ステップＳ７に進み、第１記録媒体１２Ａ〜第４記録媒体１２Ｄに対する検査が終了したか否かが判別される。この判別は、第１記録媒体１２Ａ〜第４記録媒体１２Ｄに記録された信号をすべて読み出したかどうかで行われる。
【００６５】
検査が終了していなければ、前記ステップＳ２以降の処理に戻って次の異常を探り、検査が終了した段階で、この第１検査システム１０Ａでの動作が終了する。
【００６６】
このように、第１検査システム１０Ａにおいては、第１記録媒体１２Ａ〜第４記録媒体１２Ｄに予め一定周波数の音声信号を記録しておき、第１記録媒体１２Ａ〜第４記録媒体１２Ｄから信号を読み出して、その読み出した信号から音声信号を検波し、検波した結果が前記一定周波数から逸脱したことを示す場合に、異常と判定するようにしたので、記録媒体の異常を検出するための記録媒体の検査において、検査員に過度な負担をかけることなく、少人数で、ミスなく行うことができ、しかも、様々な記録媒体の検査にも適用させることができ、汎用性に富むこととなる。
【００６７】
上述の例では、４つの記録媒体を同時に検査する場合を示したが、その他、１つの記録媒体、２つの記録媒体、３つの記録媒体、５つ以上の記録媒体を同時に検査する場合にも容易に適用させることができる。
【００６８】
次に、記録媒体に記録された信号を読み出す記録媒体用ドライブ装置の検査方法に適用した第２の本実施の形態に係る検査システム（以下、第２検査システム１０Ｂと記す）について図５及び図６を参照しながら説明する。なお、図１に示す第１検査システム１０Ａと同じ部材等については同符号を付してその重複説明を省略する。
【００６９】
この第２検査システム１０Ｂは、上述した第１検査システム１０Ａとほぼ同様の構成を有するが、図５に示すように、被検査対象である４つのドライブ装置（第１１ドライブ装置１４ａ〜第１４ドライブ装置１４ｄ）に対して、予め一定周波数の音声信号が記録された適正な第１１記録媒体１２ａ〜第１４記録媒体１２ｄが使用される点で異なる。「適正な」とは、第１１記録媒体１２ａ〜第１４記録媒体１２ｄに記録された信号を、上述した第１検査システム１０Ａの第１ドライブ装置１４Ａ〜第４ドライブ装置１４Ｄで読み出した場合に、異常判定されることがないことを示す。
【００７０】
なお、検波器１６と、Ａ／Ｄ変換器１８と、フレームグラバ２０と、パーソナルコンピュータ２２と、リモコン２４等の構成については、第１検査システム１０Ａの場合と同じである。
【００７１】
ここで、第２検査システム１０Ｂの動作について図６のフローチャートも参照しながら説明する。
【００７２】
先ず、図６のステップＳ１０１において、予め一定周波数の音声信号が記録された適正な第１１記録媒体１２ａ〜第１４記録媒体１２ｄを用意する。
【００７３】
その後、ステップＳ１０２において、第１１記録媒体〜第１４記録媒体をそれぞれ第１１ドライブ装置１４ａ〜第１４ドライブ装置１４ｄにセットし、第１１記録媒体１２ａ〜第１４記録媒体１２ｄから信号を読み出す。第１１記録媒体１２ａ〜第１４記録媒体１２ｄから読み出された信号は、検波器１６の対応するチャネルと、フレームグラバ２０の対応するチャネルにそれぞれ供給される。
【００７４】
その後、ステップＳ１０３において、検波器１６は、第１１ドライブ装置１４ａ〜第１４ドライブ装置１４ｄから出力される信号からそれぞれ音声信号を検波する。すなわち、各チャネルにおいて、音声信号の周波数に応じた電圧レベルを有する信号（電圧信号）に変換する。各チャネルから出力される電圧信号は、後段のＡ／Ｄ変換器１８に供給され、それぞれデジタル信号に変換されてパーソナルコンピュータ２２に送信される。
【００７５】
これと並行して、フレームグラバ２０は、第１１ドライブ装置１４ａ〜第１４ドライブ装置１４ｄから出力される信号からそれぞれ映像信号を取り出して、ＰＣＩバス２８を介してパーソナルコンピュータ２２に送信する。
【００７６】
そして、ステップＳ１０４において、パーソナルコンピュータ２２における推移表示手段３２は、モニタ３４に、第１１ドライブ装置１４ａ〜第１４ドライブ装置１４ｄに対応して４つの区画（第１区画３８Ａ〜第４区画３８Ｄ）に分かれたマルチ画面（推移表示画面３６）を表示し（図２参照）、第１区画３８Ａ〜第４区画３８Ｄにおける各第１領域４０ａにそれぞれ現時点の映像信号による画像を表示し、各第２領域４０ｂにそれぞれ対応する電圧信号（電圧レベル）の推移波形を表示する（図３参照）。
【００７７】
ステップＳ１０５において、パーソナルコンピュータ２２における判定手段３０は、検波器１６からＡ／Ｄ変換器１８を介して送信されてくる４チャネルの電圧信号（検波した結果）の電圧レベルと、基準電圧レベルとをそれぞれ比較し、電圧レベルが基準電圧レベルから所定レベル以上逸脱したチャネルについて、異常と判定し、ステップＳ１０６に進む。
【００７８】
ステップＳ１０６において、推移表示手段３２は、異常と判定されたチャネルに対応した区画の第２領域４０ｂに異常判定時点の時間情報を表示すると共に、該時間情報とチャネル情報（チャネル番号等）をハードディスク４２に記録し、さらに、異常と判定されたチャネルに対応した映像信号のうち、異常判定時点の映像信号による画像をハードディスク４２に記録する。これによって、異常と判定されたチャネルと、異常判定された時間情報と、異常判定時点の画像が、ハードディスク４２においてデータベースとして管理できることになる。
【００７９】
このように、第２検査システム１０Ｂにおいては、予め一定周波数の音声信号が記録された適正な第１１記録媒体１２ａ〜第１４記録媒体１２ｄを準備し、被検査対象である第１１ドライブ装置１４ａ〜第１４ドライブ装置１４ｄを使って第１１記録媒体１２ａ〜第１４記録媒体１２ｄから信号を読み出し、読み出した信号から音声信号を検波し、検波した結果が前記一定周波数から逸脱したことを示す場合に、異常と判定するようにしたので、記録媒体に記録された信号を読み出す記録媒体用ドライブ装置の検査において、検査員に過度な負担をかけることなく、少人数で、ミスなく行うことができ、しかも、様々なドライブ装置の検査にも簡単に適用させることができ、汎用性に富むこととなる。
【実施例１】
【００８０】
ここで、１つの実験例を示す。この実験例は、第１検査システム１０Ａを使って第１記録媒体１２Ａの異常を判定した実施例と、第１記録媒体１２Ａの再生異常を目視で確認した比較例とを対比したものである。
【００８１】
実施例の結果を図７に示し、比較例の結果を図８に示す。
【００８２】
実施例の結果を示す図７は、推移表示画面３６（図２参照）のうち、第１区画３８Ａの第２領域４０ｂを拡大して示したものである。図７中、０：３０、０：２０、１０：１９等の枠で囲まれた強調表示は、第１検査システム１０Ａにおいて異常と判定された時間を示す。なお、異常判定のしきい値レベルは−３ｄＢを採用した。
【００８３】
比較例の結果を示す図８は、目視で確認した結果を、実施例にて異常と判定された時点（異常判定時間）と対比して示す表図であり、「×」は異常を見落としたことを示し、「○」は実施例の異常判定とほぼ一致することを示す。
【００８４】
図８の結果から、実施例で検知された異常が目視では検知できない場合があることが判明し、実施例の方が測定感度が高いことがわかる。なお、実施例のしきい値レベルを調整することによって、実施例の感度を比較例のレベルまで落とすことも可能である。
【００８５】
なお、本発明に係る記録媒体の検査方法、記録媒体の検査装置、記録媒体用ドライブ装置の検査方法及び記録媒体用ドライブ装置の検査装置は、上述の実施の形態に限らず、本発明の要旨を逸脱することなく、種々の構成を採り得ることはもちろんである。
【図面の簡単な説明】
【００８６】
【図１】第１検査システムを示す構成図である。
【図２】モニタに表示される推移表示画面の一表示例を示す説明図である。
【図３】推移表示画面の第２領域に表示されるグラフの一表示例を示す説明図である。
【図４】第１検査システムの処理動作を示すフローチャートである。
【図５】第２検査システムを示す構成図である。
【図６】第２検査システムの処理動作を示すフローチャートである。
【図７】実施例での結果を示すグラフである。
【図８】比較例の結果を示す表図である。
【符号の説明】
【００８７】
１０Ａ…第１検査システム              １０Ｂ…第２検査システム
１２Ａ〜１２Ｄ…第１記録媒体〜第４記録媒体
１２ａ〜１２ｄ…第１１記録媒体〜第１４記録媒体
１４Ａ〜１４Ｄ…第１ドライブ装置〜第４ドライブ装置
１４ａ〜１４ｄ…第１１ドライブ装置〜第１４ドライブ装置
１６…検波器                          １８…Ａ／Ｄ変換器
２０…フレームグラバ                  ２２…パーソナルコンピュータ
３０…判定手段                        ３２…推移表示手段
３４…モニタ                          ３６…推移表示画面
３８Ａ〜３８Ｄ…第１区画〜第４区画    ４０ａ、４０ｂ…第１領域、第２領域
４２…ハードディスク
【図１】
2008016128.tif 000003
【図２】
2008016128.tif 000004
【図３】
2008016128.tif 000005
【図４】
2008016128.tif 000006
【図５】
2008016128.tif 000007
【図６】
2008016128.tif 000008
【図７】
2008016128.tif 000009
【図８】
2008016128.tif 000010